(57)【要約】３ＧＰＰリリース１０の機能をサポートするための下りリンク制御情報（ＤＣＩ）の拡張は、ＤＣＩフォーマット２Ｂについての最小限の拡張を含む。一部の実施形態では、ランク１及びランク２という重要なケースについて異なるＭＵ−ＭＩＭＯディメンジョニングをサポートすると同時に、スクランブリング識別子ビット（16）を再利用することによって、最大８のランクをシグナリングするために２つの特別なビット（20）のみを導入する。この新たなＤＣＩフォーマットは、場合によっては、シングルセルの下りリンク送信だけでなく、ＣｏＭＰまたはリレー／ＨｅｔＮｅｔ等の、他の何らかのリリース１０の機能をサポートできる。【特許請求の範囲】
【請求項１】
下りリンク制御情報（ＤＣＩ）フォーマットのメッセージを送信することによって、送信機（100）からの下りリンク送信で使用されるシグナリング・レイヤの数を受信機（140）に知らせるための、前記送信機（100）における方法（200）であって、
前記下りリンク送信で使用される前記レイヤの数を示す２つのビット（20）を前記ＤＣＩフォーマットで送信するステップ（210）
を含むことを特徴とする方法。
【請求項２】
３つ以上のレイヤのランク値を前記ＤＣＩフォーマットで知らせるステップを更に含むことを特徴とする請求項１に記載の方法。
【請求項３】
前記ＤＣＩフォーマットは、１ビットの新規データ・インジケータ（ＮＤＩ）（14）と、１ビットのスクランブリング識別子（ＳＩ）（16）と、無効化／有効化された複数のトランスポート・ブロック（ＴＢ）（12）とを含むことを特徴とする請求項１または２に記載の方法。
【請求項４】
ランク３から８までは、シングルユーザのみを示し、
前記１ビットのスクランブリング識別子（16）及び追加の前記２つのビット（20）は、３から８までの前記送信ランク値を黙示的に示すように一緒に符号化されている
ことを特徴とする請求項３に記載の方法。
【請求項５】
前記ＤＣＩフォーマットは、３ＧＰＰリリース１０のＭＩＭＯ送信をサポートするように変更された、ＤＣＩフォーマット２Ｂに基づいており、
前記変更は、ＤＣＩフォーマット２Ｂへの前記２つのビット（20）の追加を含む
ことを特徴とする請求項３に記載の方法。
【請求項６】
前記スクランブリング識別子（16）は、異なるＭＵ−ＭＩＭＯディメンジョニングのために使用されることを特徴とする請求項５に記載の方法。
【請求項７】
２つの符号分割多重グループにおける４つの復調参照信号ポートが、１つのスクランブリング系列でシグナリングされることを特徴とする請求項５に記載の方法。
【請求項８】
１つの符号分割多重グループにおけるポート７及び８と別の符号分割多重グループにおけるポート９及び１０とが使用されることを特徴とする請求項７に記載の方法。
【請求項９】
複数の前記ポートは、ランク１及びランク２メッセージ用の前記スクランブリング識別子（16）を使用してシグナリングされることを特徴とする請求項８に記載の方法。
【請求項１０】
複数の前記ポートは、前記２つのビット（20）のいずれかまたは両方を使用してシグナリングされることを特徴とする請求項８に記載の方法。
【請求項１１】
１つの符号分割多重グループにおける４つの復調参照信号ポートが、１つのスクランブリング系列を用いてシグナリングされることを特徴とする請求項５に記載の方法。
【請求項１２】
１つの符号分割多重グループにおけるポート７、８、１１及び１３が使用されるとともに、長さ４の直交カバー符号が適用されることを特徴とする請求項１１に記載の方法。
【請求項１３】
前記直交カバー符号の長さは、ランク１及びランク２用の前記スクランブリング識別子（16）を使用してシグナリングされることを特徴とする請求項１２に記載の方法。
【請求項１４】
前記直交カバー符号の長さは、前記２つのビット（20）のいずれかまたは両方を使用してシグナリングされることを特徴とする請求項１２に記載の方法。
【請求項１５】
前記２つのビット（20）は、他の送信シナリオをシグナリングするために使用されることを特徴とする請求項１に記載の方法。
【請求項１６】
前記他の送信シナリオは、ＭＵ−ＭＩＭＯ、ＣｏＭＰ及びリレー／ＨｅｔＮｅｔから成るグループから選択されることを特徴とする請求項１５に記載の方法。
【請求項１７】
下りリンク送信で使用されるレイヤの数を受信機（140）によって判定することを可能にするための、前記受信機（140）における方法（300）であって、
前記レイヤの数を示す２つのビット（20）を含む下りリンク制御情報（ＤＣＩ）フォーマットのメッセージを受信するステップ（310）と、
前記ＤＣＩ及び前記レイヤの数に従ってデータを受信するように前記受信機（140）を設定するステップ（320）と
を含むことを特徴とする方法。
【請求項１８】
送信機（100）からの下りリンク送信で使用されるシグナリング・レイヤの数を受信機（140）に知らせるよう機能する、前記送信機（100）であって、
前記下りリンク送信におけるレイヤの数を示す２つのビット（20）を含む下りリンク制御情報（ＤＣＩ）フォーマットのメッセージを送信するように、送信回路（Tx）に指示するよう機能する処理回路（120）
を備えることを特徴とする送信機。
【請求項１９】
前記処理回路（120）は、更に、３つ以上のレイヤのランク値を前記ＤＣＩフォーマットで知らせるよう機能することを特徴とする請求項１８に記載の送信機。
【請求項２０】
前記ＤＣＩフォーマットは、１ビットの新規データ・インジケータ（ＮＤＩ）（14）と、１ビットのスクランブリング識別子（ＳＩ）（16）と、無効化／有効化された複数のトランスポート・ブロック（ＴＢ）（12）とを含むことを特徴とする請求項１８または１９に記載の送信機。
【請求項２１】
ランク３から８までは、シングルユーザのみを示し、
前記１ビットのスクランブリング識別子（16）及び追加の前記２つのビット（20）は、３から８までの前記送信ランク値を黙示的に示すように一緒に符号化されている
ことを特徴とする請求項２０に記載の送信機。
【請求項２２】
前記ＤＣＩフォーマットは、３ＧＰＰリリース１０のＭＩＭＯ送信をサポートするように変更された、ＤＣＩフォーマット２Ｂに基づいており、
前記変更は、ＤＣＩフォーマット２Ｂへの前記２つのビット（20）の追加を含む
ことを特徴とする請求項２０に記載の送信機。
【請求項２３】
前記スクランブリング識別子（16）は、異なるＭＵ−ＭＩＭＯディメンジョニングのために使用されることを特徴とする請求項２２に記載の送信機。
【請求項２４】
２つの符号分割多重グループにおける４つの復調参照信号ポートが、１つのスクランブリング系列でシグナリングされることを特徴とする請求項２２に記載の送信機。
【請求項２５】
１つの符号分割多重グループにおけるポート７及び８と別の符号分割多重グループにおけるポート９及び１０とが使用されることを特徴とする請求項２４に記載の送信機。
【請求項２６】
複数の前記ポートは、ランク１及びランク２メッセージ用の前記スクランブリング識別子（16）を使用してシグナリングされることを特徴とする請求項２５に記載の送信機。
【請求項２７】
複数の前記ポートは、前記２つのビット（20）のいずれかまたは両方を使用してシグナリングされることを特徴とする請求項２５に記載の送信機。
【請求項２８】
１つの符号分割多重グループにおける４つの復調参照信号ポートが、１つのスクランブリング系列を用いてシグナリングされることを特徴とする請求項２２に記載の送信機。
【請求項２９】
１つの符号分割多重グループにおけるポート７、８、１１及び１３が使用されるとともに、長さ４の直交カバー符号が適用されることを特徴とする請求項２８に記載の送信機。
【請求項３０】
前記直交カバー符号の長さは、ランク１及びランク２用の前記スクランブリング識別子（16）を使用してシグナリングされることを特徴とする請求項２９に記載の送信機。
【請求項３１】
前記直交カバー符号の長さは、前記２つのビット（20）のいずれかまたは両方を使用してシグナリングされることを特徴とする請求項２９に記載の送信機。
【請求項３２】
前記２つのビット（20）は、他の送信シナリオをシグナリングするためにも使用されることを特徴とする請求項１８に記載の送信機。
【請求項３３】
前記他の送信シナリオは、ＭＵ−ＭＩＭＯ、ＣｏＭＰ及びリレー／ＨｅｔＮｅｔから成るグループから選択されることを特徴とする請求項３２に記載の送信機。
【請求項３４】
下りリンク送信で使用されるレイヤの数を判定するよう機能する受信機（140）であって、
前記レイヤの数を示す２つのビット（20）を含む下りリンク制御情報（ＤＣＩ）フォーマットのメッセージを受信するよう機能する受信回路（Rx）と、
前記ＤＣＩ及び前記レイヤの数に従ってデータを受信するように前記受信機（140）を設定するよう機能する処理回路（160）と
を備えることを特徴とする受信機。
【発明の詳細な説明】
【技術分野】
【０００１】
本発明は、全体として、送信機、受信機及びそれらの方法に関するものであり、特に、ＬＴＥ−Ａｄｖａｎｃｅｄ下りリンク送信モード用の制御シグナリング設計のような、例えばＬＴＥ−Ａｄｖａｎｃｅｄ用の下りリンク制御シグナリング設計に関するものである。
【背景技術】
【０００２】
第３世代パートナシップ・プロジェクト（３ＧＰＰ）は、ＵＭＴＳ（ユニバーサル・モバイル・テレコミュニケーション・システム）及びＬＴＥ（ロング・ターム・エボリューション）の標準化に関与している。ＬＴＥは、下りリンク及び上りリンクの両方で高いデータレートに達することが可能な高速のパケットベース通信を実現するための技術である。ＬＴＥは、ＵＭＴＳに対して、次世代のモバイル通信システムと考えられている。高いデータレートをサポートするために、ＬＴＥは、最大２０ＭＨｚのシステム帯域幅を許容する。ＬＴＥは、更に、異なる複数の周波数帯域で動作可能であるとともに、少なくともＦＤＤ（周波数分割複信）及びＴＤＤ（時分割複信）で動作可能である。ＬＴＥで使用される変調技術または伝送方法は、ＯＦＤＭ（直交周波数分割多重）として知られている。
【０００３】
次世代モバイル・テレコミュニケーション・システム、例えば、ＩＭＴ−ａｄｖａｎｃｅｄ（国際モバイル・テレコミュニケーション）、及びＬＴＥの進化形であるＬＴＥ−Ａｄｖａｎｃｅｄの少なくともいずれかについては、最大１００ＭＨｚの帯域幅のサポートが検討されている。ＬＴＥ及びＬＴＥ−Ａｄｖａｎｃｅｄの両方では、無線基地局は、ｅＮＢまたはｅＮｏｄｅＢとして知られており、「ｅ」は進化型（evolved）を表す。更には、高いデータレートをユーザ装置に提供するために、プリコーディング／ビームフォーミング技術によって複数のアンテナを使用可能である。このため、ＬＴＥ及びＬＴＥ−Ａｄｖａｎｃｅｄは、両方ともＭＩＭＯ（多入力・多出力）無線システムの例である。ＭＩＭＯ及びＯＦＤＭベースのシステムの他の例は、ＷｉＭＡＸ（マイクロ波アクセスのための世界的な相互運用）である。
【０００４】
３ＧＰＰリリース１０（Ｒｅｌ−１０）、例えば技術仕様（Technical Specification）３６．８１４ Ｖ１．５．０（２００９−１１）として規定されたＬＴＥ−Ａｄｖａｎｃｅｄでは、３０ｂｐｓ／Ｈｚという、ＬＴＥ−Ａｄｖａｎｃｅｄの下りリンク・ピーク・スペクトル効率を実現するために、高度な８×８高次ＭＩＭＯを使用して、最大８レイヤの送信がサポートされる。リリース１０では、最大８つの（復調ＲＳまたはＤＭ−ＲＳと称される）ＵＥ固有の参照信号が、チャネル復調を目的として導入されることも合意されている。これまでに、図１に示すように、通常のＣＰ（サイクリック・プレフィックス）を有するＤＭ−ＲＳランク１〜８パターンが決定されている。
【０００５】
ＣＤＭ＋ＦＤＭ（符号及び周波数分割多重）によって多重化される、合計で８つのＤＭ−ＲＳポートが定義されている。ＤＭ−ＲＳのオーバヘッドは同一となり、即ち、レイヤごとに１２個のリソースエレメント（ＲＥ）となる。最大で２つのＣＤＭグループがサポートされる。各ＣＤＭグループは、最大で４つのＤＭ−ＲＳポートを有する。ＤＭ−ＲＳポートのナンバリングは、ＣＤＭグループ１：ポート７／８／１１／１３、及び、ＣＤＭグループ２：ポート９／１０／１２／１４として定義されている。直交カバー符号（ＯＣＣ：Orthogonal cover codes）が、時間領域のみにわたって定義されている。
【０００６】
図１は、最大でランク８送信をサポートするＤＭ−ＲＳパターンを図示している。リリース９のデュアルレイヤ・ビームフォーミング、即ち、下りリンク送信モード８（ＴＭ８）の場合、（数値「１」で示される）ＣＤＭグループ１のみが使用される一方、（数値「２」で示される）ＣＤＭグループ２に対して留保されたＲＥは、データ送信用に使用される。
【０００７】
下りリンク制御情報（ＤＣＩ）フォーマット２Ｂは、３ＧＰＰ ＴＳ３６．２１２ ｖ９．０．０（２００９−１２）において定義されており、その開示を本明細書では援用する。ＤＣＩフォーマット２Ｂは、最大で２つのスクランブリング系列を用いてＤＭ−ＲＳポート７／８が動的に割り当てられる、シングルユーザ（ＳＵ）ケース及びマルチユーザ（ＭＵ）ケースについてのトランスペアレント構成だけでなく、ランク１とランク２との間の動的なランク・アダプテーションを可能にする。図２は、ＤＣＩフォーマット２Ｂで搬送される一部の情報によって黙示的に示される、異なる複数のアプリケーション・ケースをリストしたテーブル１０を図示している。無効化／有効化されたトランスポート・ブロック（ＴＢ）１２と、１ビットの新規データ・インジケータ（ＮＤＩ）１４と、１ビットのスクランブリング識別子（ＳＩ）１６とによって、情報が符号化される。これらのビットは、「メッセージ」列にリストされている情報を符号化する。
【発明の概要】
【０００８】
本願で開示及びクレームされている１つ以上の実施形態によれば、リリース１０の機能、例えば、シングルセルＭＩＭＯ、ＣｏＭＰ、または場合によってはリレー／ＨｅｔＮｅｔをサポートするために、ＤＣＩフィーマット２Ｂの最小限の拡張が提案される。
【０００９】
開示した実施形態では、リリース１０のＭＩＭＯ送信をサポートするために、リリース１０において新たなＤＣＩフォーマットが提案される。一部の実施形態では、最大８のランクをシグナリングするために、ランク１及びランク２という重要なケースについて異なるＭＵ−ＭＩＭＯディメンジョニングをサポートすると同時に、ＳＩビット１６を再利用することによって、２つの特別なビットのみが、それ以外はフォーマット２Ｂと一致するＤＣＩフォーマットに対して導入される。この新たなＤＣＩフォーマットは、場合によっては、シングルセルの下りリンク送信だけでなく、他の何らかのリリース１０の機能、例えばＣｏＭＰまたはリレー／ＨｅｔＮｅｔをサポートできる。
【００１０】
一実施形態は、ＤＣＩフォーマットのメッセージをシグナリングすることによって、送信機からの下りリンク送信で使用されるシグナリング・レイヤの数を受信機に知らせるための、送信機における方法に関連している。ＤＣＩフォーマットで送信されるのは、下りリンク送信で使用されるレイヤの数を示す２つのビットである。
【００１１】
他の実施形態は、下りリンク送信で使用されるレイヤの数を受信機によって判定することを可能にするための、受信機における方法に関連している。レイヤの数を示す２つのビットを含むＤＣＩフォーマットでメッセージが受信される。受信機は、ＤＣＩ及びレイヤの数に従ってデータを受信するように設定される。
【００１２】
更に他の実施形態は、送信機からの下りリンク送信で使用されるシグナリング・レイヤの数を受信機に知らせるよう機能する送信機に関連している。送信機は、下りリンク送信におけるレイヤの数を示す２つのビットを含むＤＣＩフォーマットのメッセージをシグナリングするように機能するシグナリング回路を備える。
【００１３】
更に他の実施形態は、下りリンク送信で使用されるレイヤの数を判定するよう機能する受信機に関連している。受信機は、レイヤの数を示す２つのビットを含むＤＣＩフォーマットのメッセージを受信するよう機能する受信回路を備える。受信機は、更に、ＤＣＩ及びレイヤの数に従ってデータを受信するように受信機を設定するよう機能する処理回路を備える。
【図面の簡単な説明】
【００１４】
【図１】最大でランク８の送信をサポートする、先行技術のＤＭ−ＲＳパターンの機能ブロック図。
【図２】先行技術のＤＣＩフォーマット２Ｂに従ったＤＣＩビットの符号化と、シグナリングされるアプリケーション・ケースとを図示するテーブル。
【図３】本発明の一実施形態に従って送信機がＣＤＩビットを送信する無線通信ネットワークにおける、送信機及び受信機の機能ブロック図。
【図４】本発明の一実施形態に係る、ＤＣＩビットの１つの符号化と、シグナリングされるアプリケーション・ケースとを図示するテーブル。
【図５】本発明の他の実施形態に係る、ＤＣＩビットの１つの符号化と、シグナリングされるアプリケーション・ケースとを図示するテーブル。
【図６】本発明の更に他の実施形態に係る、ＤＣＩビットの１つの符号化と、シグナリングされるアプリケーション・ケースとを図示するテーブル。
【図７】本発明の更に他の実施形態に係る、ＤＣＩビットの１つの符号化と、シグナリングされるアプリケーション・ケースとを図示するテーブル。
【図８】送信機からの下りリンク送信で使用されるシグナリング・レイヤの数を受信機に知らせる、送信機による方法のフロー図。
【図９】送信機からの下りリンク送信で使用されるシグナリング・レイヤの数を判定する、受信機による方法のフロー図。
【発明を実施するための形態】
【００１５】
上述のように、リリース１０は８レイヤ送信をサポートする。ＴＭ８は、リリース９として規定されたままである。ＤＣＩフォーマット２Ｂには、いくつかの不足があり、結果として、新たなＤＣＩフォーマットがリリース１０に対して必要となる。第１に、最大で８レイヤの送信をサポートするため、適切なデータ復調用にＵＥに対してランクを知らせる必要があることである。ＤＣＩフォーマット２Ｂでは、これを直接的には規定しておらず、むしろ、１つのＴＢ１２が無効化されているか否かによってランク１または２を示唆する。第２に、リリース１０におけるＭＵ−ＭＩＭＯディメンジョニング（dimensioning）によれば、ランク１〜２は、ＳＵ／ＭＵに適用可能である一方、ランク３〜８は、ＳＵのみに対して定義されていることである。これは、ＳＵ及びＭＵが２レイヤまでの送信について同一の範囲を有するリリース９ ＴＭ８とは異なる。第３に、新たなＤＣＩフォーマットが、シングルセルＭＩＭＯだけでなく、協調マルチポイント（ＣｏＭＰ：Coordinated Multipoint）、または場合によってはリレー（relaying）／ヘテロジニアス・ネットワーク（ＨｅｔＮｅｔ：heterogeneous network）のために使用されうることである。最後の検討事項は、リリース９ ＴＭ８はリリース１０の８レイヤ送信のサブセットとなるため、ＤＣＩフォーマット２Ｂは、新たなＤＣＩフォーマットにおいて可能な限り再利用されるべきであるということである。
【００１６】
本書では、種々のアプリケーションまたは検討事項に適用される、本発明の種々の実施形態を提示する。本書では、提案するＤＣＩフォーマット、例えば、１ビットのＮＤＩ １４、１ビットのＳＩ １６、無効化／有効化されたＴＢ １２、並びに、Ａ及びＢと表記される２つの追加ビット２０を説明するために、ペイロードの一部のみを説明する。当然ながら、他の目的のための更なるビット・フィールドも存在する。
【００１７】
図３は、（チャネル品質または構成に基づいて）下りリンク送信で使用すべきレイヤの数を決定するよう機能する処理回路１２０を備える、無線基地局のような送信機１００を図示している。レイヤ数（即ち、ランク値）が決定されると、送信機１００は、送信回路（Ｔｘ）を介して、ランク値を示す情報を、３ＧＰＰリリース１０に適合したＤＣＩフォーマットで、ユーザ装置のような受信機１４０に送信する。一部の実施形態では、リリース１０のＤＣＩフォーマットは、フォーマット２Ｂの拡張であり、ランク値を示すために使用される２つのビットＡ、Ｂを含む。受信機１４０は、受信回路（Ｒｘ）を介して、ＤＣＩフォーマットの情報を受信して、受信機は、当該情報から、送信に使用されたレイヤの数を処理回路１６０において判定する。
【００１８】
送信機１００は、下りリンク制御情報（ＤＣＩ）フォーマットのメッセージを送信するように送信回路（Ｔｘ）に指示するよう機能する処理回路１２０を備え、ＤＣＩフォーマットは、送信ランク値とも称されるレイヤ数を示す２つのビット（Ａ，Ｂ）を含む。
【００１９】
受信機１４０は、レイヤ数を示す２つのビットを含むＤＣＩフォーマットのメッセージを受信するよう構成された受信回路（Ｒｘ）と、下りリンク制御情報及びレイヤ数に従ってデータを受信するように受信機１４０を設定するよう機能する処理回路１６０とを備える。
【００２０】
無線通信ネットワークにおける送信機１００と受信機１４０との間のシグナリングを可能にするための、本書で説明する仕組みは、本書で説明する実施形態の機能を実行するためのコンピュータプログラム・コードとともに、送信機１００内の処理回路１２０または受信機１４０内の処理回路１６０のような、１つ以上のプロセッサを通じて実装されうる。上述のプログラム・コードは、例えば、送信機１００または受信機１４０においてそれぞれ処理回路１２０、１６０にロードされた場合に本発明の実施形態を実行するコンピュータプログラム・コードを含む、機械可読データ記憶媒体の形式で、コンピュータプログラムとしても提供されうる。このような機械可読データ記憶媒体の１つは、ＣＤ−ＲＯＭディスクの形式でもよい。当然ながら、他の適切なデータ記憶媒体には、不揮発性メモリ、磁気ディスク等が含まれてもよい。コンピュータプログラム・コードは、更に、純正のプログラム・コードとしてサーバ上で提供され、送信機１００または受信機１４０にダウンロードされてもよい。
【００２１】
ランク・シグナリング用のＳＩ
図４のテーブル１８は、両方のトランスポート・ブロック１２が有効化された場合に、ランク１のみがＳＵ／ＭＵであり、ランク３〜８はＳＵのみであることを図示している。この場合、一実施形態によれば、シグナリング・オーバヘッドは、新たに定義されたビットＡ，Ｂ ２０とともに１ビットのＳＩ １６を使用することによって低減され、これにより、（１ビットＳＩ １６はＳＵケース用には使用されないため）ランク値３〜８をＵＥに黙示的に知らせる。ランク２の送信は、ハイブリッドＳＵ／ＭＵである。一実施形態では、１ビットＳＩ １６は、同時にスケジューリングされた（co-scheduled）複数のＵＥを区別するために使用される。この実施形態では、値（０，０）の新たな２ビット２０は、ＵＥに対してランク値２を一意に知らせるために使用される。図４は、２ビット２０及び１ビットＳＩ １６の、１つの代表的な符号化を図示しており、他の符号化は本発明の範囲内である。
【００２２】
ＭＵ−ＭＩＭＯディメンジョニング用のＳＩ
上述の実施形態に加えて、リリース１０のＵＥに対して、より複雑なＳＵ／ＭＵケースを知らせる（例えば、ＤＭ−ＲＳポートまたはＣＤＭグループの通知）ために、新たなビット２０を、ランク１〜２用に効率的に使用することも可能である。
【００２３】
図５のテーブル２２には、２つのＤＭ−ＲＳポートが、２つのスクランブリング系列を用いてシグナリングされる、第１のケースを図示している。なお、最初の５行はＤＣＩフォーマット２Ｂと同一であり、１ビットＳＩ １６はＣＤＭ−１におけるポート７／８をシグナリングするために使用される。このケースでは、２つの新たなビット２０は、ランク１には使用されずに留保される。図５は、ランク３〜８をシグナリングするための、２つのビット２０及び１ビットのＳＩ １６の１つの代表的な符号化を図示しており、他の符号化は本発明の範囲内である。
【００２４】
図６のテーブル２４には、２つのＣＤＭグループにおける４つのＤＭ−ＲＳポートが、１つのスクランブリング系列を用いてシグナリングされる、第２のケースを図示している。このケースでは、ＣＤＭ−１におけるポート７／８とＣＤＭ−２におけるポート９／１０とが使用され、長さ２のＯＣＣが適用される。一実施形態では、最初の１０行のランク１／２メッセージは、ポートのシグナリング用に１ビットＳＩ １６を使用してもよい。他の実施形態では、当該ポートは、新たなビット２０を利用することによってシグナリングされる。同時にスケジューリングされた複数のＵＥには直交するポートが割り当てられるため、リリース９及びリリース１０の同時にスケジューリングされた複数のＵＥは、同一のスクランブリング系列を用いたとしても、有効化されうる。したがって、１ビットＳＩ １６は、フリーであるとともに、同時にスケジューリングされたＵＥ間の更なる区別はもはや必要ないため、ポートのシグナリングのために使用されうる。このため、スクランブリング系列の使用が制限される。他の実施形態では、新たなビット２０のうちのＡビットあるいはＢビットが、スクランブリング系列の制限を解除するために、１ビットＳＩ １６と同じことを行うように利用されうる。図６は、２つのビット２０及び１ビットＳＩ １６の１つの代表的な符号化を図示しており、他の符号化は本発明の範囲内である。
【００２５】
図７のテーブル２６には、ＣＤＭグループ１における４つのＤＭ−ＲＳポートが１つのスクランブリング系列を用いてシグナリングされる、第３のケースを図示している。このケースでは、ＣＤＭ−１のポート７／８／１１／１３が使用され、長さ４のＯＣＣが適用される。一実施形態では、最初の１０行のランク１／２メッセージは、ＯＣＣ長をシグナリングするために１ビットＳＩ １６を使用してもよい。テーブル２６は、図６のテーブル２４と同一であるが、１ビットＳＩ １６の再使用についての説明が異なる。他の実施形態では、新たなビット２０のうちのＡビットあるいはＢビットが、スクランブリング系列の制限を解除するために、１ビットＳＩ １６と同じことを行うように利用されうる。図７は、２つのビット２０及び１ビットＳＩ １６の１つの代表的な符号化を図示しており、他の符号化は本発明の範囲内である。
【００２６】
図８は、ｅＮＢのような、無線通信ネットワーク内の送信機によって、受信機にシグナリング・レイヤ情報を送信する方法２００を図示している。送信機は、下りリンク送信で使用すべきシグナリング・レイヤの数を決定し（ブロック２１０）、次に、下りリンク送信で使用されるレイヤの数を示す２つのビット２０を含むＤＣＩフォーマットを受信機に送信する（ブロック２２０）。種々の実施形態では、上述のように、２つのビット２０は、シグナリング・レイヤ情報に加えて種々の情報を伝えるために、ＳＩ １６のような、既存のＤＣＩフォーマット２Ｂビットと一緒に符号化されてもよい。
【００２７】
図９は、ＵＥのような、無線通信ネットワーク内の受信機によって、シグナリング・レイヤ情報を受信する方法３００を図示している。受信機は、下りリンク送信におけるシグナリング・レイヤの数を示す２つのビット２０を含むＤＣＩフォーマットのメッセージを受信して（ブロック３１０）、次に、ＤＣＩ及びレイヤ数に従ってデータを受信するよう、受信回路Ｒｘを設定する（ブロック３２０）。種々の実施形態では、上述のように、２つのビット２０は、シグナリング・レイヤ情報に加えて種々の情報を伝えるために、ＳＩ １６のような、既存のＤＣＩフォーマット２Ｂビットと一緒に符号化されてもよい。
【００２８】
ＭＵ−ＭＩＭＯディメンジョニング用のＳＩ
なお、上記の実施形態では、一部の例（例えばランク１）では、２つの新たなビット２０は留保される。一実施形態において、これらの例では、２つの新たなビット２０は、他のアプリケーション・シナリオ、特に、主としてランク１を対象としたシナリオをシグナリングするために利用されうる。このようなシナリオには、例として、かつ、限定することなく、シングルセルＭＵ−ＭＩＭＯ、ＣｏＭＰ、またはリレー／ＨｅｔＮｅｔが含まれる。シグナリング情報によって、留保されたビットの任意の符号化に従って、それらのシナリオのうちの１つにおいて下りリンク送信が行われるかどうかをＵＥに対して伝えることが可能であり、これは、当業者によって、特定のアプリケーションに対して容易に導かれうるとともに、本開示の教示に含まれる利点を有する。
【００２９】
ＤＣＩフォーマット２Ｂに基づく、かつ、リリース１０のＭＩＭＯ送信をサポートするために２つの新たなビット２０を使用する、リリース１０用の新たなＤＣＩフォーマットは、上述の実施形態によれば、数々の効果をもたらす。まず、既存の１ビットＳＩ １６を使用し、かつ、２つの新たなビット２０のみを導入して、一緒に符号化することによって、２レイヤを上回る（実際には、８レイヤもの）ランク値を黙示的に知らせることが可能である。標準規格のＤＣＩフォーマット２Ｂを、可能な最大限まで再使用することが可能である。次に、異なるＭＵ−ＭＩＭＯディメンジョニングのサポートについて、ランク１及びランク２という重要なケースに対してスクランブリングの通知をそれでも許容しつつ、効率的に制御シグナリングを省くために、１ビットＳＩ １６を可能な限り再使用することが可能である。最後に、提案したリリース１０用のＤＣＩフォーマットは、ＳＵアプリケーションとＭＵアプリケーションとを区別することが可能であるとともに、ランク１のケースにおける他の可能性のあるリリース１０の機能（例えば、ＣｏＭＰ、リレー、及びＨｅｔＮｅｔ）のために使用可能である。
【００３０】
当然ながら、本発明は、本発明の本質的な特徴から逸脱することなく、本書で具体的に説明した手法以外の手法で実施されてもよい。本発明の実施形態は、あらゆる点で例示的であり、かつ、限定的ではないと解釈されるべきであり、添付の特許請求の範囲の意義及び均等の範囲内で生じるあらゆる変更が本発明に包含されることを意図している。
【図１】
2013529008.tif 000002
【図２】
2013529008.tif 000003
【図３】
2013529008.tif 000004
【図４】
2013529008.tif 000005
【図５】
2013529008.tif 000006
【図６】
2013529008.tif 000007
【図７】
2013529008.tif 000008
【図８】
2013529008.tif 000009
【図９】
2013529008.tif 000010
【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
下りリンク制御情報（ＤＣＩ）フォーマットのメッセージを送信することによって、送信機（100）からの下りリンク送信で使用される送信ランク値を受信機（140）に知らせるための、前記送信機（100）における方法（200）であって、
前記ＤＣＩフォーマットは、１ビットの新規データ・インジケータ（ＮＤＩ）（14）と、１ビットのスクランブリング識別子（ＳＩ）（16）と、無効化または有効化された複数のトランスポート・ブロック（ＴＢ）（12）とを含み、
前記方法は、
３から８までの前記送信ランク値を黙示的に示すように前記１ビットのスクランブリング識別子（16）と一緒に符号化されている２つの追加ビット（20）を、前記ＤＣＩフォーマットで送信するステップ（210）
を含むことを特徴とする方法。
【請求項２】
前記ＤＣＩフォーマットは、８×８多入力・多出力（ＭＩＭＯ）送信をサポートするように変更された、３ＧＰＰ ＴＳ ３６．２１２  ｖ９．０．０で規定されているＤＣＩフォーマット２Ｂに基づいており、
前記変更は、前記２つの追加ビット（20）のＤＣＩフォーマット２Ｂへの追加を含む
ことを特徴とする請求項１に記載の方法。
【請求項３】
前記スクランブリング識別子（16）は、異なるマルチユーザＭＩＭＯ（ＭＵ−ＭＩＭＯ）ディメンジョニングのために使用されることを特徴とする請求項２に記載の方法。
【請求項４】
２つの符号分割多重グループにおける４つの復調参照信号ポートが、１つのスクランブリング系列でシグナリングされることを特徴とする請求項２に記載の方法。
【請求項５】
１つの符号分割多重グループにおけるポート７及び８と別の符号分割多重グループにおけるポート９及び１０とが使用されることを特徴とする請求項４に記載の方法。
【請求項６】
複数の前記ポートは、ランク１及びランク２メッセージ用の前記スクランブリング識別子（16）を使用してシグナリングされることを特徴とする請求項５に記載の方法。
【請求項７】
複数の前記ポートは、前記２つの追加ビット（20）のいずれかまたは両方を使用してシグナリングされることを特徴とする請求項６に記載の方法。
【請求項８】
１つの符号分割多重グループにおける４つの復調参照信号ポートが、１つのスクランブリング系列を用いてシグナリングされることを特徴とする請求項２に記載の方法。
【請求項９】
１つの符号分割多重グループにおけるポート７、８、１１及び１３が使用されるとともに、長さ４の直交カバー符号が適用されることを特徴とする請求項８に記載の方法。
【請求項１０】
前記直交カバー符号の長さは、ランク１及びランク２用の前記スクランブリング識別子（16）を使用してシグナリングされることを特徴とする請求項９に記載の方法。
【請求項１１】
前記直交カバー符号の長さは、前記２つの追加ビット（20）のいずれかまたは両方を使用してシグナリングされることを特徴とする請求項９に記載の方法。
【請求項１２】
前記２つの追加ビット（20）は、他の送信シナリオをシグナリングするために使用されることを特徴とする請求項１に記載の方法。
【請求項１３】
前記他の送信シナリオは、マルチユーザ多入力・多出力（ＭＵ−ＭＩＭＯ）、協調マルチポイント（ＣｏＭＰ）及びリレー／ヘテロジニアス・ネットワーク（ＨｅｔＮｅｔ）から成るグループから選択されることを特徴とする請求項１２に記載の方法。
【請求項１４】
下りリンク送信で使用される送信ランク値を受信機（140）によって判定することを可能にするための、前記受信機（140）における方法（300）であって、
１ビットの新規データ・インジケータ（ＮＤＩ）（14）と、１ビットのスクランブリング識別子（ＳＩ）（16）と、無効化または有効化された複数のトランスポート・ブロック（ＴＢ）（12）と、３から８までの前記送信ランク値を黙示的に示すように前記１ビットのスクランブリング識別子（16）と一緒に符号化されている２つのビット（20）とを含む下りリンク制御情報（ＤＣＩ）フォーマットのメッセージを受信するステップ（310）と、
前記ＤＣＩフォーマット及び前記示された送信ランク値に従ってデータを受信するように前記受信機（140）を設定するステップ（320）と
を含むことを特徴とする方法。
【請求項１５】
送信機（100）からの下りリンク送信で使用されるシグナリング・レイヤの数を受信機（140）に知らせるよう機能する、前記送信機（100）であって、
下りリンク制御情報（ＤＣＩ）フォーマットのメッセージを送信するように、送信回路（Tx）に指示するよう機能する処理回路（120）を備え、
前記ＤＣＩフォーマットは、１ビットの新規データ・インジケータ（ＮＤＩ）（14）と、１ビットのスクランブリング識別子（ＳＩ）（16）と、無効化または有効化された複数のトランスポート・ブロック（ＴＢ）（12）と、２つの追加ビット（20）とを含み、
前記１ビットのスクランブリング識別子（16）及び前記２つの追加ビット（20）は、３から８までの前記送信ランク値を黙示的に示すように一緒に符号化されている
ことを特徴とする送信機。
【請求項１６】
前記ＤＣＩフォーマットは、８×８多入力・多出力（ＭＩＭＯ）送信をサポートするように変更された、３ＧＰＰ ＴＳ ３６．２１２  ｖ９．０．０で規定されているＤＣＩフォーマット２Ｂに基づいており、
前記変更は、前記２つの追加ビット（20）のＤＣＩフォーマット２Ｂへの追加を含む
ことを特徴とする請求項１５に記載の送信機。
【請求項１７】
前記送信機（100）は、前記スクランブリング識別子（16）を、異なるマルチユーザＭＩＭＯ（ＭＵ−ＭＩＭＯ）ディメンジョニングのために使用することを特徴とする請求項１６に記載の送信機。
【請求項１８】
前記送信機（100）は、２つの符号分割多重グループにおける４つの復調参照信号ポートを、１つのスクランブリング系列でシグナリングすることを特徴とする請求項１６に記載の送信機。
【請求項１９】
前記送信機（100）は、１つの符号分割多重グループにおけるポート７及び８と別の符号分割多重グループにおけるポート９及び１０とを使用することを特徴とする請求項１８に記載の送信機。
【請求項２０】
前記送信機（100）は、複数の前記ポートを、ランク１及びランク２メッセージ用の前記スクランブリング識別子（16）を使用してシグナリングすることを特徴とする請求項１９に記載の送信機。
【請求項２１】
前記送信機（100）は、複数の前記ポートを、前記２つのビット（20）のいずれかまたは両方を使用してシグナリングすることを特徴とする請求項１９に記載の送信機。
【請求項２２】
前記送信機（100）は、１つの符号分割多重グループにおける４つの復調参照信号ポートを、１つのスクランブリング系列を用いてシグナリングすることを特徴とする請求項１６に記載の送信機。
【請求項２３】
前記送信機（100）は、１つの符号分割多重グループにおけるポート７、８、１１及び１３を使用するとともに、長さ４の直交カバー符号を適用することを特徴とする請求項２２に記載の送信機。
【請求項２４】
前記送信機（100）は、前記直交カバー符号の長さを、ランク１及びランク２用の前記スクランブリング識別子（16）を使用してシグナリングすることを特徴とする請求項２３に記載の送信機。
【請求項２５】
前記送信機（100）は、前記直交カバー符号の長さを、前記２つのビット（20）のいずれかまたは両方を使用してシグナリングすることを特徴とする請求項２３に記載の送信機。
【請求項２６】
前記送信機（100）は、前記２つのビット（20）を、他の送信シナリオをシグナリングするためにも使用することを特徴とする請求項１５に記載の送信機。
【請求項２７】
前記他の送信シナリオは、マルチユーザ多入力・多出力（ＭＵ−ＭＩＭＯ）、協調マルチポイント（ＣｏＭＰ）及びリレー／ヘテロジニアス・ネットワーク（ＨｅｔＮｅｔ）から成るグループから選択されることを特徴とする請求項２６に記載の送信機。
【請求項２８】
下りリンク送信で使用される送信ランク値を判定するよう機能する受信機（140）であって、
１ビットの新規データ・インジケータ（ＮＤＩ）（14）と、１ビットのスクランブリング識別子（ＳＩ）（16）と、無効化または有効化された複数のトランスポート・ブロック（ＴＢ）（12）と、３から８までの前記送信ランク値を黙示的に示すように前記１ビットのスクランブリング識別子（16）と一緒に符号化されている２つのビット（20）とを含む下りリンク制御情報（ＤＣＩ）フォーマットのメッセージを受信するよう機能する受信回路（Rx）と、
前記ＤＣＩフォーマット及び前記示された送信ランク値に従ってデータを受信するように前記受信機（140）を設定するよう機能する処理回路（160）と
を備えることを特徴とする受信機。
【国際調査報告】
2013529008.tif 000011
2013529008.tif 000012
2013529008.tif 000013